(57)【特許請求の範囲】
【請求項１】
駆動装置により回転可能な回転枠体と、該回転枠体に、回転枠体の軸線に対して軸線が傾斜して装着された遊転自在な複数の鼓状矯正ロールとを有し、複数の鼓状矯正ロールが全て同一の公転速度で同一方向に公転するように１つの回転枠体に装着されており、進行する矯正しようとする円筒状金属管の周囲で該鼓状矯正ロールを矯正しようとする円筒状金属管に対して押圧すると同時に公転させることにより、円筒状金属管の曲りおよび真円度を矯正する矯正装置であって、該複数の鼓状矯正ロールのうち、回転枠体の軸線方向の最も上流側に位置する鼓状矯正ロールが、回転枠体の軸線方向に関して同一位置に少なくとも３個存在するように回転枠体に装着されたことを特徴とする円筒状金属管の矯正装置。
【請求項２】
請求項１に示す円筒状金属管の矯正装置を用いて作製された電子写真感光体用円筒状金属管。
【発明の詳細な説明】
【０００１】
【発明の属する技術分野】
本発明は、円筒状金属管の真円度および曲りを矯正する矯正装置に関し、さらにこの矯正装置を使用して作製した電子写真感光体用円筒状金属管に関するものである。
【０００２】
【従来の技術】
近年、円筒状金属管は、益々肉薄化する傾向にあり、また、その殆どの用途において、自動化された設備によって加工されるため、その材料の曲りおよび真円度に関しても、一層の高精度が要求されるようになっている。その曲りおよび真円度を矯正する手段としては、例えば、下記のような装置が公知のものとしてあげられる。
【０００３】
特公平７−１０６３８７号公報に開示された矯正装置は、矯正しようとする円筒状金属管（以下、「被矯正金属管」という。）の軸線方向に対して傾斜を持って回転自在に設けられた複数の鼓状矯正ロールを、矯正しようとする円筒状金属管の周囲を偏芯公転させると同時に、押しつけることにより円筒状金属管の曲りや真円度を矯正するものであって、矯正しようとする円筒状金属管を、その矯正装置内に送り進めることにより、鼓状矯正ロールの自転および公転を行って自動化を図るものである。
【０００４】
また、特公昭６３−２３８５３号公報に開示された矯正装置は、矯正しようとする円筒状金属管の軸線方向に対して偏芯公転するラッパ状中空ダイスを押しつけることと、矯正しようとする円筒状金属管の軸線方向に対して傾斜して設けられた複数の鼓状矯正ロールを、矯正しようとする円筒状金属管の周囲を公転させると同時に、押しつけることにより矯正を行うものである。
【０００５】
【発明が解決しようとする課題】
ところが、特公平７−１０６３８７号公報に記載の矯正装置においては、矯正しようとする円筒状金属管をその矯正装置内に送り進めることにより、鼓状矯正ロールを自転および公転をさせるため、近年求められているような薄肉、小径の円筒状金属管の矯正の場合には、矯正装置に導入する前に座屈してしまうことがある。また、この矯正装置においては、公転の回転数が、円筒状金属管の送り速度によって決定されるため、任意の回転数を得ることができず、曲りおよび真円度について、より精度の高い矯正を行うことができないという欠点を有している。
【０００６】
また、特公昭６３−２３８５３号公報に開示された矯正装置においては、公転するラッパ状中空ダイスが円筒状金属管に対して線を持って矯正するため、矯正マークが発生しやすいという欠点があり、したがって、表面性の点で不満足な製品が得られるので、表面処理のための後工程が必要であるという問題点を有している。
そして、従来のいずれの技術においても、その矯正装置をそのまま電子写真感光体用の円筒状金属管を作製するために適用することは非常に困難であった。
【０００７】
本発明は、上記した従来技術の種々の問題を解消することを目的としてなされたものである。すなわち、本発明の目的は、矯正装置を通すことにより、円筒状金属管の曲りおよび真円度を高精度に矯正することができ、優れた表面性を有する円筒状金属管を作製することができる矯正装置を提供することにある。また、本発明の他の目的は、その矯正装置を用いて作製された電子写真感光体用円筒状金属管を提供することにある。
【０００８】
【課題を解決するための手段】
本発明の上記目的は、次の構成を有する矯正装置によって達成される。すなわち、本発明の円筒状金属管の矯正装置は、駆動装置により回転可能な回転枠体と、その回転枠体に、回転枠体の軸線に対して軸線が傾斜して装着された遊転自在な複数の鼓状矯正ロールとを有し、複数の鼓状矯正ロールが全て同一の公転速度で同一方向に公転するように１つの回転枠体に装着されており、進行する矯正しようとする円筒状金属管の周囲で該鼓状矯正ロールを矯正しようとする円筒状金属管に対して押圧すると同時に公転させることにより、円筒状金属管の曲りおよび真円度を矯正するものであって、上記複数の鼓状矯正ロールのうち、回転枠体の軸線方向の最も上流側に位置する鼓状矯正ロールが、回転枠体の軸線方向に関して同一位置に少なくとも３個存在するように回転枠体に装着されたことを特徴とする。また、本発明の電子写真感光体用円筒状金属管は、上記の矯正装置を用いることによって作製されたことを特徴とする。
【０００９】
【発明の実施の形態】
以下、本発明の実施の形態について図面によって説明する。
図１は、本発明の実施例の概略の構成図であり、図２は図１におけるＸ−Ｘ線断面の矯正ロールの状態を示す説明図、図３は図１におけるＹ−Ｙ線断面の矯正ロールの状態を示す説明図であり、図４は矯正ロールの取り付け状態を示す説明図である。
【００１０】
本発明の矯正装置は、従来の技術におけるプラネタリー矯正機とほぼ同様の構成を有するものであって、回転自在に支持された回転枠体１と、この回転枠体に遊転自在に装着された複数の鼓状の矯正ロール２とより構成される。回転枠体１は、図示していない据え付けフレームに支持され、駆動装置３によって回転可能になっている。すなわち、駆動装置３のプーリー３１と回転枠体の端部のプーリー１１との間に張架されたベルトによって回転可能になっている。また、各矯正ロール２は、回転枠体１に、その軸線が回転枠体の軸線に対して所定の角度で傾斜するように、かつ、その固定位置が調整可能に固定されている。すなわち、図４に示すように、矯正ロール２はロールホルダー４に対してその両端を軸受け５を介してピン６で支持されている。軸受け５は、回転摺動摩擦抵抗の少ない転がり玉軸受けまたは矯正ロール軸受けが好ましい。一方、ロールホルダー４の上部（図４における）の接合部４１は、回転枠体１に設けられた嵌合孔に嵌合するように形成されおり、そして接合部４１には雌ねじが設けられ、この雌ねじに雄ねじ部分を設けた軸７が螺合するようになっている。この軸７は、ボルト９により回転枠体１に固定されたフランジ８によって支持されており、そして上部に設けたハンドル１０を回転することにより、ロールホルダー４の位置を調整できるように構成されている。
【００１１】
上記の矯正装置においては、複数の矯正ロール２のうちの回転枠体１の軸線方向の最も上流側に位置する矯正ロールが、回転枠体の軸線方向に関して同一位置に３個存在するように回転枠体に装着されている。すなわち、図２に示すように、回転枠体１の上流側に回転枠体と一体に設けたフレーム１２ａ、１２ｂ、１２ｃに、３個の矯正ロール２ａ、２ｂ、２ｃがロールホルダー４ａ、４ｂ、４ｃによってそれぞれ固定されている。また、軸線方向の最も下流側に位置する矯正ロールは、図３に示すように１対の矯正ロールになっている。
【００１２】
駆動装置３を作動させて回転枠体１を回転させ、その上流側から矯正しようとする円筒状金属管Ｍを矢印Ｚの方向に挿入すると、回転枠体１に取り付けられた各矯正ロール２が円筒状金属管Ｍの回りを公転すると同時に円筒状金属管に押しつけられ、円筒状金属管の進行に従動して回転する。それによって、円筒状金属管の曲りおよび真円度が高精度に矯正でき、優れた表面性を有する円筒状金属管を得ることができる。
【００１３】
【実施例】
次に、図１〜図４に示す構成の矯正装置の具体的な例について説明する。矯正ロール２は、円筒形状の中央部がくぼんだ鼓型をしたものであって、円筒状金属管Ｍに接する部分の直径が３００ｍｍ、軸線方向（稜線）のアール（Ｒ）が１０００ｍｍのものを使用した。この矯正ロール２の両端を、軸受けを介してピン６によってロールホルダー４に支持することによって回転枠体に固定した。この実施例では、矯正ロール２の取り付け角度は、矯正ロールの軸線が、回転枠体の軸線に対して２４度になるように設定した。なお、設定は、回転枠体１とロールホルダー４とが嵌合するＤカットを設けることによって行った。
【００１４】
上記のようにして準備したロールユニットを組み込んだ矯正装置を用いて矯正を行った。矯正しようとする円筒状金属管Ｍとしては、外径８４．５ｍｍ、内径８２ｍｍ、長さ１２ｍのアルミニウム管を準備した。なお、このアルミニウム管は、鋳造後、ポートホール法による熱間押し出し加工によって作製されたものを冷間抽伸加工して作製されたものであった。
矯正前のアルミニウム管を３４０ｍｍの短尺に切断して測定したところ、真円度は３５μｍであり、ロール振れは３１０μｍであった。矯正装置における回転枠体の回転数を３００ｒｐｍにセットし、矯正ロールの押し込み量を基本位置よりも２ｍｍ押し込んだ位置にセットした。入口側（上流側）より上記のアルミニウム管をガイド（図示しない）に沿って送り込んだ。アルミニウム管は、回転枠体の回転に伴い回転しながら進行し、出口側ガイド（図示しない）に送り出された。矯正が終了したアルミニウム管を３４０ｍｍの短尺に切断して測定したところ、真円度は１８μｍであり、ロール振れは８０μｍであった。
【００１５】
このようにして矯正されたアルミニウム管を精密旋盤で鏡面切削して電子写真感光体用基体として用いた。８ナイロン樹脂（ラッカマイド、大日本インキ社製）にメタノール・ブタノール混合溶液を溶解して得られた塗布液を、上記のアルミニウム管上に浸漬塗布法によって塗布し、膜厚１．０μｍの下引き層を形成した。
一方、ポリビニルブチラール樹脂（ＢＭ−１、積水化学社製）１部（以下、「部」は重量部を示す）をシクロヘキサノン１９部に溶解し、得られた溶液に、ジブロムアントアントロン顔料（Ｃ．Ｉ．ピグメントレッド１６８）８部およびトリフルオロ酢酸０．０２部を添加した。次いで直径１ｍｍのガラスビーズを分散媒体として使用し、サンドミルによって分散処理を行った。得られた分散液にシクロヘキサノンを加えて、固形分濃度が１０％の塗布液を作製した。この塗布液を上記のようにして形成された下引き層の上にリング塗布器によって塗布し、１００℃で１０分間加熱乾燥して、膜厚０．８μｍの電荷発生層を形成した。
次に、Ｎ，Ｎ′−ジェフェニル−Ｎ，Ｎ′−ビス（３−メチルフェニル）ベンジジン４部およびポリカーボネート樹脂６部をモノクロロベンゼン３６部に溶解させた。得られた塗布液を上記電荷発生層の上に浸漬塗布法によって塗布し、１１５℃で６０分間乾燥して、膜厚１８μｍの電荷輸送層を形成し、有機感光体（ＯＰＣ）ドラムを作製した。
【００１６】
このＯＰＣドラムの両端内径部に樹脂製のフランジを圧入接着し、複写機（Ｖｉｖａｃｅ３３０、富士ゼロックス社製）によって複写を行い、画質のチェックを行ったところ、むらのない良好な画質の画像が得られることが確認できた。
【００１７】
（比較例）
上記実施例とほぼ同じ形態の矯正装置を準備した。ただし、上流側の３個の矯正ロールの代わりに、一対すなわち２個の矯正ロールを装着したものを用い、上記実施例と同様なアルミニウム管を同様な条件で矯正を行った。矯正が終了したアルミニウム管を３４０ｍｍの短尺に切断して測定したところ、真円度は３３μｍであり、ロール振れは１２０μｍであった。
【００１８】
このようにして矯正されたアルミニウム管を精密旋盤で鏡面切削して電子写真感光体用基体として用いた。上記実施例におけると同様にして、下引き層、電荷発生層および電荷輸送層を形成してＯＰＣドラムを作製した。
このＯＰＣドラムの両端内径部に樹脂製のフランジを圧入接着し、複写機（Ｖｉｖａｃｅ３３０、富士ゼロックス社製）によって複写を行い、画質のチェックを行ったところ、むらの目立つ画質の画像が形成された。
【００１９】
【発明の効果】
本発明の矯正装置は、複数の鼓状矯正ロールのうち、駆動装置によって回転する回転枠体の軸線方向の最も上流側に位置する鼓状矯正ロールが、回転枠体の軸線方向に関して同一位置に少なくとも３個存在するように回転枠体に装着されているので、円筒状金属管の曲りおよび真円度を高精度に矯正することができ、優れた表面性を有する円筒状金属管を得ることができる。さらに本発明の矯正装置を使用することにより矯正された円筒状金属管は、電子写真感光体用の基体として使用することにより、優れた電子写真特性を示す電子写真感光体を作製することができる。
【図面の簡単な説明】
【図１】本発明の矯正装置の概略の構成図である。
【図２】図１のＸ−Ｘ線断面の矯正ロールの状態を示す説明図である。
【図３】図１のＹ−Ｙ線断面の矯正ロールの状態を示す説明図である。
【図４】矯正ロールの取り付け状態を示す説明図である。
【符号の説明】
１…回転枠体、２，２ａ，２ｂ，２ｃ…矯正ロール、３…駆動装置、４，４ａ，４ｂ，４ｃ…ロールホルダー、５…軸受け、６…ピン、７…軸、８…フランジ、９…ボルト、１０…ハンドル、１１…プーリー、１２，１２ａ，１２ｂ，１２ｃ…フレーム、３１…プーリー、４１…接合部、Ｍ…円筒状金属管。
【図１】
0003598730.tif 000002
【図２】
0003598730.tif 000003
【図３】
0003598730.tif 000004
【図４】
0003598730.tif 000005